(57)【要約】      （修正有）【課題】稲用に作られた土付き苗育成ケースを用いて製造することができ、かつ、稲用に作られた土付き苗植込み装置を用いて植込みを行うことが可能なトウモロコシ等の他の穀物用の土付き苗育成ケースを提供する。【解決手段】土付き苗育成ケース１は、個々に土付き苗を一株毎に独立して収容可能な複数の苗収容区画を備えたケースから成り、前記苗収容区画は上方が開放されており、その底部に、育成された土付き苗を毛根の損傷することなく押し出すための押出棒が挿入可能な押出棒挿入孔が形成され、ケースの移送方向と平行な外壁の上端に、田植機の移送装置と噛み合う係合フランジ５が設けられた下側ケース２と、前記稲用土付き苗育成ケースにおける底部を切断し、上方及び下方を開放した下側ケース２とを、二つのケースの上端面が向き合うように重ね合わせ、二つのケースの係合フランジ５の部分で固定部材を用いて二つのケースを取り外し可能に固定した。【選択図】図４
2009065924.tif 000002
【特許請求の範囲】
【請求項１】
個々に土付き苗を一株毎に独立して収容可能な複数の苗収容区画を備えたケースから成り、
前記苗収容区画は上方が開放されており、
前記ケースにおける各苗収容区画の底部に、育成された土付き苗を毛根の損傷することなく押し出すための土付き苗押出装置の押出棒が挿入可能な押出棒挿入孔が形成され、
前記ケースにおけるケースの移送方向と平行な外壁の上端に、田植機の移送装置と噛み合う係合フランジが設けられた
稲用土付き苗育成ケースから成る下側ケースと、
前記稲用土付き苗育成ケースにおける底部を切断し、上方及び下方を開放した下側ケースとを、
二つのケースの上端面が向き合うように重ね合わせ、二つのケースの係合フランジの部分で固定部材を用いて二つのケースを取り外し可能に固定した
ことを特徴とする土付き苗育成ケース。
【発明の詳細な説明】
【技術分野】
【０００１】
本発明は、トウモロコシ等のように成苗まで育成した時に稲に比べて根が長くなる穀物の土付き苗を育成するために改良した土付き苗育成ケースに関する。
【背景技術】
【０００２】
稲は、２０日前後苗ハウス等で育てられた後、田植機等を用いて田圃に植えられる。
しかし、苗ハウス等で育てられた稚苗は、土付きではないため、田圃に植え替えても根の活着が悪く、成苗を人手で植えた時より生育が遅れるという問題がある。
この問題を解消するために、稲を一株毎に独立した土付きの成苗まで育成するための土付き苗育成ケースが既に提案されている。
この土付き苗育成ケースで育成された成苗は、専用の土付き苗植込み装置を用いて適当な時期に田圃に移植される。
【０００３】
【特許文献１】特開昭５３−８６３０５号公報
【特許文献２】特公平５−４２８８４号公報
【発明の開示】
【発明が解決しようとする課題】
【０００４】
上記したように、稲については、土付き苗を予め育成して、それを田圃に移植することが既に提案されており、効率のよい育成が可能になっている。
しかし、我が国の穀物自給率が、諸外国の自給率に比べて近年極端に下がっていることを考慮すると、稲に限らず他の穀物についても効率よく育成できるようにして、穀物自給率を上げていくことが必要である。
このため、稲用に作られた土付き苗育成ケースを他の穀物にも使用することが考えられるが、成苗まで育成した時の根の長さが穀物により異なるため稲用に作られた土付き苗育成ケースを他の穀物に簡単に転用することはできない。
具体的には、トウモロコシの場合、成苗まで育成した時の根の長さ（深さ）は、稲の二倍近くなるため土付き苗育成ケースの深さも稲用のケースの二倍の深さが必要になる。
しかし、単に深さが二倍の土付き苗育成ケースを製造しても、その育成ケースで育成した成苗を畑に移植する際に、従来から使用している稲用の土付き苗植込み装置を使うことができない。なぜなら、稲用の土付き苗植込み装置は、稲の土付き苗育成ケース用に製造されているため、深さが２倍の土付き苗育成ケースから土付き苗を押し出すには、突出しクランクが短すぎるからである。
この問題は、土付き苗植込み装置もトウモロコシ専用に製造すれば解消されるが、このように、土付き苗育成ケース及び土付き苗植込み装置の両方をトウモロコシ専用に製造していたのではコストが高くなるという問題がある。
本発明は、上記した従来の問題点を解決し、稲用に作られた土付き苗育成ケースを用いて製造することができ、かつ、稲用に作られた土付き苗植込み装置を用いて植込みを行うことが可能なトウモロコシ等の他の穀物用の土付き苗育成ケースを提供することを目的としている。
【課題を解決するための手段】
【０００５】
上記した目的を達成するために、本発明に係る土付き苗育成ケースは、個々に土付き苗を一株毎に独立して収容可能な複数の苗収容区画を備えたケースから成り、前記苗収容区画は上方が開放されており、前記ケースにおける各苗収容区画の底部に、育成された土付き苗を毛根の損傷することなく押し出すための土付き苗押出装置の押出棒が挿入可能な押出棒挿入孔が形成され、前記ケースにおけるケースの移送方向と平行な外壁の上端に、田植機の移送装置と噛み合う係合フランジが設けられた稲用土付き苗育成ケースから成る下側ケースと、前記稲用土付き苗育成ケースにおける底部を切断し、上方及び下方を開放した下側ケースとを、二つのケースの上端面が向き合うように重ね合わせ、二つのケースの係合フランジの部分で固定部材を用いて二つのケースを取り外し可能に固定したことを特徴とするものである。
【発明の効果】
【０００６】
本発明に係る土付き苗育成ケースは、個々に土付き苗を一株毎に独立して収容可能な複数の苗収容区画を備えたケースから成り、前記苗収容区画は上方が開放されており、前記ケースにおける各苗収容区画の底部に、育成された土付き苗を毛根の損傷することなく押し出すための土付き苗押出装置の押出棒が挿入可能な押出棒挿入孔が形成され、前記ケースにおけるケースの移送方向と平行な外壁の上端に、田植機の移送装置と噛み合う係合フランジが設けられた稲用土付き苗育成ケースから成る下側ケースと、前記稲用土付き苗育成ケースにおける底部を切断し、上方及び下方を開放した下側ケースとを、二つのケースの上端面が向き合うように重ね合わせ、二つのケースの係合フランジの部分で固定部材を用いて二つのケースを取り外し可能に固定しているので、従来の稲用土付き苗育成ケースを用いて約二倍の深さの土付き苗育成ケースを製造することができ、トウモロコシ等の根が長い穀物を成苗まで育成することが可能になる。
北海道等の寒冷地においてトウモロコシを種から畑で育てる場合、収穫できるまで約４ヶ月の日数を要する。このため、北海道等の寒冷地では、３月に種を植えて７月頃に収穫することになる。しかし、北海道等の寒冷地では９月移行に霜が降るため７月の収穫後にさらに種を撒いてトウモロコシを育てることはできず、従って、北海道等の寒冷地ではトウモロコシは年に１回しか育てることができない。本発明に係る土付き苗育成ケースを用いて予めトウモロコシを成苗まで育成しておけば、北海道等の寒冷地であっても畑に移植してから約３ヶ月で収穫することができる。従って、３月に成苗を移植し、６月に収穫すると同時に新しい成苗を移植することで９月（即ち、霜が降る前）に再度収穫することができるため年に２回トウモロコシを育成することが可能になる。収穫したトウモロコシは真空パックして、さらに冷凍しておけば、何時でも食することができるため日本の食糧事情を大きく改善することができる。
また、本発明に係る土付き苗育成ケースは、トウモロコシ等に限らず、稲の育成にも利用することができる。本発明に係る土付き苗育成ケースを稲の苗の育成に用いた場合、従来の稲用土付き苗育成ケースでは２０日程度しか育成できなかった稲の苗を、３０日以上育成することができるため、稲の苗を大きく丈夫に育成することが可能になる。このように、苗を大きく丈夫に育てることにより、従来は年に１回しか作れなかった米を年に２回作ることが可能になるため、現在、４０％に満たない日本の穀物自給率を大幅に上げることができ、これにより日本の食糧事情を大きく改善することができる。
また、植込み時には、上側ケースを外すことにより、従来の稲用土付き苗育成ケースを同じ深さになるので、稲用の植込み装置を用いて植込みを行うことが可能になる。
【発明を実施するための最良の形態】
【０００７】
以下、添付図面に示した一実施例を参照して、本発明に係る土付き苗育成ケースの実施の形態を説明していく。
図１は、本発明に係る土付き苗育成ケース１の下側ケース２を示す図であり、図１（ａ）は下側ケースの概略上面図、図１（ｂ）は図１（ａ）の部分拡大図、そして、図１（ｃ）は図１（ｂ）におけるＩ−Ｉ線断面図を各々示している。
図１に示した下側ケース２は、従来の稲用土付き苗育成ケースから成る。
この下側ケース２は、個々に土付き苗を一株毎に独立して収容可能な複数の苗収容区画３を備えている。
各苗収容区画３は、図１（ｃ）に示すように、上端３ａが完全に開放している。各苗収容区画３の底部３ｂには、土付き苗押出装置の突出しクランクが挿入可能な突出しクランク挿入孔４が形成されている。また、各苗収容区画３の底部３ｂには、前記挿入孔４に沿って上方に斜めに立ち上がるフランジ３ｃが形成されており、このフランジ３ｃにより底部３ｂに円周状の水溜部３ｄが形成されている。
下側ケース２の、土付き苗植込み装置における移動方向（図１において矢印Ａで示す）と平行な外壁２ａの上端には、土付き苗植込み装置のケース送り出し装置と噛み合う係合フランジ５が形成されている。
【０００８】
図２は、本発明に係る土付き苗育成ケース１の上側ケース１２を示す図であり、図２（ａ）は上側ケースの概略上面図、図２（ｂ）は図２（ａ）の部分拡大図、そして、図２（ｃ）は図２（ｂ）におけるＩＩ−ＩＩ線断面図を各々示している。
この上側ケース１１は、従来の稲用土付き苗育成ケースにおける底部（図１における底部３ｂ、図２（ｃ）において点線で示す部分）を切断し、各苗収容区画の上端及び下端を完全に開放したものである。従って、上側ケース１２における底部を切断した以外の構成は、全て図１に示す下側ケース２と同じである。
上側ケース１２は、個々に土付き苗を一株毎に独立して収容可能な複数の苗収容区画１３を備えている。
各苗収容区画１３は、図２（ｃ）に示すように、上端１３ａ及び下端１３ｂが完全に開放している。
上側ケース１２の、土付き苗植込み装置における移動方向（図２において矢印Ａで示す）と平行な外壁１２ａの上端には、土付き苗植込み装置のケース送り出し装置と噛み合う係合フランジ１５が形成されている。
【０００９】
図３は、図１及び図２に示した下側ケース２及び上側ケース１２を重ねて固定した土付き苗育成ケース１の概略断面図を示している。
図面に示すように、土付き苗育成ケース１は、上側ケース１２を、その係合フランジ１５が、下側ケース２の係合フランジ５と向き合うように重ね合わせ、両フランジ５及び１５をタッピングビス等の取外し可能な固定手段２０で固定することで完成する。
【００１０】
図４は、完成した土付き苗育成ケース１を用いて土付き苗を育成した状態を示している。
図面に示すように、各苗収容区画内に土及び肥料を入れ、種を浅く埋めることによって、比較的根が長い穀物であっても、根の成長を妨げることなく成苗まで育成することが可能になる。図４に示す例は、トウモロコシを成苗まで育成した状態を示している。
【００１１】
土付き苗育成ケース１は、種を成苗まで育成した後、上側ケース１２を取外し、下側ケース２のみとして、土付き苗植込み装置にセットされる。図５は、上側ケース１２を取り外した状態を示している。
【００１２】
以下、図６及び図７を参照して、上記した土付き苗育成ケース１を用いて土付き苗の植込みを行う土付き苗植込み装置３０について簡単に説明する。
図６は土付き苗植込み装置の概略側面図であり、図７は図６に示した土付き苗植込み装置の後面図（図６における右側から見た図）である。
図面に示すように、この土付き苗植込み装置３０は、上部アーム３１及び下部アーム３２を介してトラクター等の適当な車両に取り付けられる。図６及び図７において符号１００は、トラクターのタイヤを示している。
【００１３】
土付き苗植込み装置３０は、
成苗を有する土付き苗育成ケース１を上側ケース１２を取り外した状態で逆さまにして複数保持するケース保持フレーム３３と、
フレーム３３に保持された土付き苗育成ケース１を、苗押し出し機構へ送り出す偏心カム３４ａ及びアーム３４ｂから成るケース送り出し装置３４と、
土付き苗育成ケース１の各苗収容区画３の成苗を押し出す苗押し出し機構３５と、
押し出された成苗を、地面まで誘導する複数の誘導パイプ３６と、
空の土付き苗育成ケース１を収容する空ケース収容部３７と
畝たて板３８と、
均し板３９と
を備えている。
前記苗押し出し機構３５は、例えば、特公平５−４２８８４号に開示されている従来の苗押し出し機構と同様の構成であり、クランクケース３５ａの内部に、突出しクランク３５ｂ及び送りクランク３５ｃを設けて成る。
図示実施例では、土付き苗植込み装置３０は、６本の誘導パイプ３６を備えており、苗押し出し機構３５の突出しクランク３５ｂは６つの成苗を同時に苗収容区画３から誘導パイプ３６へ押し出すように構成されている。
突出しクランク３５ｂによって誘導パイプ３６へ押し出された成苗は、誘導パイプ３６内で反転して畑へ落下する。
【００１４】
次に、稲用の土付き苗育成ケースで育成された稲の成苗を、土付き苗植込み装置４０を用いて田圃へ植え込む例を図８〜図１１を参照して説明する。
稲の成苗は、図１に示した下側ケース２のみから成る稲用の土付き苗育成ケースで育成される。
図８は土付き苗植込み装置の概略側面図であり、図９は図８に示した土付き苗植込み装置の後面図（図８における右側から見た図）である。
図面に示すように、この実施例では、二つ土付き苗植込み装置４０が、上部アーム４１及び下部アーム４２を介してトラクター等の適当な車両に取り付けられる。図８及び図９において符号１００は、トラクターのタイヤを示している。
二つ土付き苗植込み装置４０の構成は同一であるため、両装置４０に同一の符号を付す。
【００１５】
土付き苗植込み装置４０は、
成苗を有する土付き苗育成ケース（即ち、下側ケース２）を逆さまにして複数保持するケース保持フレーム４３と、
フレーム４３に保持された土付き苗育成ケース２を、苗押し出し機構へ送り出す偏心カム４４ａ及びアーム４４ｂから成るケース送り出し装置４４と、
土付き苗育成ケース２の各苗収容区画３の成苗を押し出す苗押し出し機構４５と、
押し出された成苗を、地面まで誘導する複数の誘導パイプ４６と、
空の土付き苗育成ケース２を収容する空ケース収容部４７と
を有する。
前記苗押し出し機構４５は、例えば、特公平５−４２８８４号に開示されている従来の苗押し出し機構と同様の構成であり、クランクケース４５ａの内部に、突出しクランク４５ｂ及び送りクランク４５ｃを設けて成る。
図示実施例では、各土付き苗植込み装置４０は、６本の誘導パイプ４６を備えており、従って、全体で１２本の苗を同時に誘導パイプ４６へ押し出すように構成されている。
各土付き苗植込み装置４０は、誘導パイプ４６から排出された成苗の田圃への植え込みを補助するための植込み補助機構４８を備えている。
この植込み補助機構４８は、先端に植込みゴムローラ４８ａを供えた一対の軸４８ｂを備えている。
前記一対の軸４８ｂは、軸受け板４８ｃに設けられた一対の軸受け４８ｄにより支持されている。また、各軸４８ｂは、その後端部にスプロケット４８ｅを有し、このスプロケット４８ｅに掛け回されたチェーン４８ｆによって回転駆動される。
尚、図中、符号４８ｇは軸４８ｂに設けられたカラーであり、符号４８ｈは均し板、符号４８ｊは障害除去板、符号４８ｋは肥料供給パイプを各々示している。
上記したように構成された植込み補助機構４８は、誘導パイプ４６から落下してきた成苗を、一対のゴムローラ４８ａの間に挟み込み、一対のゴムローラ４８ａを反対方向に回転させることによって成苗を田圃の土中側へ送り込む。
【００１６】
図８〜図１１に示した各土付き苗植込み装置４０の構成は、誘導パイプから落下した後の植込み部分の構成以外は、全て、図６及び図７に示した土付き苗植込み装置３０の構成と同一である。また、上記したように、稲用の苗育成ケースは、図１〜図５に示した苗育成ケースの下側ケース２と同一の構成である。従って、同一の土付き苗育成ケースを用いて稲とそれ以外の穀物（具体的には、成苗時に稲よりも根が長くなる穀物）の成苗を育成することができ、かつ、同一の各土付き苗植込み装置を用いて土付き苗育成ケースで育成された稲とそれ以外の穀物の植込みを行うことができるようになる。
【００１７】
上記した実施例では、トウモロコシの苗を本発明に係る土付き苗育成ケース１（下側ケース２及び上側ケース１２）を用いて成苗まで育成した後、土付き苗植込み装置を用いて植え込む例と、従来の稲用土付き苗育成ケース（即ち、下側ケース２）で成苗まで育成した稲を土付き苗植込み装置を用いて植え込む例とを示しているが、本発明に係る土付き苗育成ケース１は、稲の育成にも利用できることは勿論である。
本発明に係る土付き苗育成ケース１を用いて稲を育成することにより、従来の稲用土付き苗育成ケース（即ち、下側ケース２）では２０日間しか育成できなかった稲を、３０日以上育成することができるため、稲の苗を大きく丈夫に育成することが可能になる。
このように苗を大きく丈夫に育成することにより、従来は年に１回しか作れなった米を年に２回作ることが可能になるため、現在、４０％に満たない日本の穀物自給率を大幅に上げることができ、これにより日本の食糧事情を大きく改善することができる。
【図面の簡単な説明】
【００１８】
【図１】（ａ）は下側ケースの概略上面図、（ｂ）は図１（ａ）の部分拡大図、そして、（ｃ）は図１（ｂ）におけるＩ−Ｉ線断面図を各々示している。
【図２】（ａ）は上側ケースの概略上面図、（ｂ）は図２（ａ）の部分拡大図、そして、（ｃ）は図２（ｂ）におけるＩＩ−ＩＩ線断面図を各々示している。
【図３】図１及び図２に示した下側ケース２及び上側ケース１２を重ねて固定した土付き苗育成ケース１の概略断面図である。
【図４】完成した土付き苗育成ケース１を用いて土付き苗を育成した状態を示す図である。
【図５】上側ケース１２を取り外した状態を示す図である。
【図６】土付き苗植込み装置の概略側面図である。
【図７】図６に示した土付き苗植込み装置の後面図（図６における右側から見た図）である。
【図８】土付き苗植込み装置の概略側面図である。
【図９】図８に示した土付き苗植込み装置の後面図（図８における右側から見た図）である。
【図１０】図８に示した土付き苗植込み装置における植込み補助機構４８の部分の拡大側面図である。
【図１１】図１０に示した植込み補助機構４８の後面図（図１０における右側から見た図）である。
【符号の説明】
【００１９】
１    土付き苗育成ケース
２    下側ケース
２ａ  外壁
３    苗収容区画
３ａ  上端部
３ｂ  底部
３ｃ  フランジ
３ｄ  水溜部
４  突出しクランク挿入孔
５  係合フランジ
１２  上側ケース
１２ａ  外壁
１３  苗収容区画
１３ａ  上端部
１３ｂ  下端部
１５  係合フランジ
２０  固定手段
３０  土付き苗植込み装置
３１  上部アーム
３２  下部アーム
３３  ケース保持フレーム
３４  ケース送り出し装置
３４ａ  偏心カム
３４ｂ  アーム
３５  苗押し出し機構
３５ａ  クランクケース
３５ｂ  突出しクランク
３５ｃ  送りクランク
３６  誘導パイプ
３７  空ケース収容部
３８  畝たて板
３９  均し板
４０  土付き苗植込み装置
４１  上部アーム
４２  下部アーム
４３  ケース保持フレーム
４４  ケース送り出し装置
４４ａ  偏心カム
４４ｂ  アーム
４５  苗押し出し機構
４５ａ  クランクケース
４５ｂ  突出しクランク
４５ｃ  送りクランク
４６  誘導パイプ
４７  空ケース収容部
４８  植込み補助機構
４８ａ  ゴムローラ
４８ｂ  軸
４８ｃ  軸受け板
４８ｄ  軸受け
４８ｅ  スプロケット
４８ｆ  チェーン
４８ｇ  カラー
４８ｈ  均し板
４８ｊ  障害除去板
４８ｋ  肥料供給パイプ
１００  トラクターのタイヤ
【図１】
2009065924.tif 000003
【図２】
2009065924.tif 000004
【図３】
2009065924.tif 000005
【図４】
2009065924.tif 000006
【図５】
2009065924.tif 000007
【図６】
2009065924.tif 000008
【図７】
2009065924.tif 000009
【図８】
2009065924.tif 000010
【図９】
2009065924.tif 000011
【図１０】
2009065924.tif 000012
【図１１】
2009065924.tif 000013